(57)【特許請求の範囲】
【請求項１】
コンピュータが、
店舗への物資の補給要求を受け付け、
前記補給要求を受け付けたことに応じて、前記物資を緊急支援物資として保管する複数の倉庫のいずれかの倉庫の中に、特定の時期以前に製造された緊急支援物資が存在するか否かを判定し、
前記特定の時期以前に製造された緊急支援物資が、前記物資を製造しているメーカの倉庫に存在する場合、前記特定の時期以前に製造された緊急支援物資を、前記メーカの倉庫から小売部門の倉庫に補給させ、前記特定の時期以前に製造された緊急支援物資を、前記小売部門の倉庫から前記店舗に補給させ、
前記特定の時期以前に製造された緊急支援物資が、前記メーカの倉庫に存在せず、前記小売部門の倉庫に存在する場合、前記特定の時期以前に製造された緊急支援物資を、前記小売部門の倉庫から前記店舗に補給させ、
前記特定の時期以前に製造された緊急支援物資が、前記メーカの倉庫および前記小売部門の倉庫に存在せず、前記緊急支援物資の保管専用の倉庫に存在する場合、前記特定の時期以前に製造された緊急支援物資を、前記緊急支援物資の保管専用の倉庫から前記店舗に補給させる、
処理を実行することを特徴とする物資運用方法。
【請求項２】
前記補給させる処理は、
前記特定の時期以前に製造された緊急支援物資が、前記物資を製造しているメーカの倉庫に存在し、前記メーカの倉庫が複数存在する場合、複数存在するメーカの倉庫の中で、前記小売部門の倉庫に最も近いメーカの倉庫から前記特定の時期以前に製造された緊急支援物資を前記小売部門の倉庫に補給させ、
前記特定の時期以前に製造された緊急支援物資が、前記メーカの倉庫および前記小売部門の倉庫に存在せず、前記緊急支援物資の保管専用の倉庫に存在し、前記保管専用の倉庫が複数存在する場合、複数存在する保管専用の倉庫の中で、前記店舗に最も近い保管専用の倉庫から前記特定の時期以前に製造された緊急支援物資を前記店舗に補給させる、
ことを特徴とする請求項１に記載の物資運用方法。
【請求項３】
前記コンピュータが、
前記特定の時期以前に製造された緊急支援物資が存在しない場合、前記特定の時期をより遅い時期に更新した後、前記判定する処理を再度実行することを特徴とする請求項１または２に記載の物資運用方法。
【請求項４】
前記コンピュータが、
前記特定の時期以前に製造された緊急支援物資が存在する小売部門の倉庫が、前記物資を通常在庫としても保管している場合、前記緊急支援物資の在庫数と前記通常在庫の在庫数との比率および前記補給要求に含まれる要求数に基づいて、前記店舗に補給する前記緊急支援物資の個数および前記店舗に補給する前記通常在庫の個数を算出する処理を実行し、
前記補給させる処理は、
前記特定の時期以前に製造された緊急支援物資を、前記算出する処理が算出した前記緊急支援物資の個数、前記店舗に補給させ、前記通常在庫を、前記算出する処理が算出した前記通常在庫の個数、前記店舗に補給させることを特徴とする請求項１〜３のいずれか一つに記載の物資運用方法。
【請求項５】
店舗への物資の補給要求を受け付け、
前記補給要求を受け付けたことに応じて、前記物資を緊急支援物資として保管する複数の倉庫のいずれかの倉庫の中に、特定の時期以前に製造された緊急支援物資が存在するか否かを判定し、
前記特定の時期以前に製造された緊急支援物資が、前記物資を製造しているメーカの倉庫に存在する場合、前記特定の時期以前に製造された緊急支援物資を、前記メーカの倉庫から小売部門の倉庫に補給させ、前記特定の時期以前に製造された緊急支援物資を、前記小売部門の倉庫から前記店舗に補給させ、
前記特定の時期以前に製造された緊急支援物資が、前記メーカの倉庫に存在せず、前記小売部門の倉庫に存在する場合、前記特定の時期以前に製造された緊急支援物資を、前記小売部門の倉庫から前記店舗に補給させ、
前記特定の時期以前に製造された緊急支援物資が、前記メーカの倉庫および前記小売部門の倉庫に存在せず、前記緊急支援物資の保管専用の倉庫に存在する場合、前記特定の時期以前に製造された緊急支援物資を、前記緊急支援物資の保管専用の倉庫から前記店舗に補給させる、
制御部を有することを特徴とする物資運用装置。
【請求項６】
物資の補給要求を行う店舗の端末と、
前記店舗の端末から前記店舗への物資の補給要求を受け付け、前記補給要求を受け付けたことに応じて、前記物資を緊急支援物資として保管する複数の倉庫のいずれかの倉庫の中に、特定の時期以前に製造された緊急支援物資が存在するか否かを判定し、前記特定の時期以前に製造された緊急支援物資が、前記物資を製造しているメーカの倉庫に存在する場合、前記特定の時期以前に製造された緊急支援物資を、前記メーカの倉庫から小売部門の倉庫に補給させ、前記特定の時期以前に製造された緊急支援物資を、前記小売部門の倉庫から前記店舗に補給させ、前記特定の時期以前に製造された緊急支援物資が、前記メーカの倉庫に存在せず、前記小売部門の倉庫に存在する場合、前記特定の時期以前に製造された緊急支援物資を、前記小売部門の倉庫から前記店舗に補給させ、前記特定の時期以前に製造された緊急支援物資が、前記メーカの倉庫および前記小売部門の倉庫に存在せず、前記緊急支援物資の保管専用の倉庫に存在する場合、前記特定の時期以前に製造された緊急支援物資を、前記緊急支援物資の保管専用の倉庫から前記店舗に補給させる物資運用装置と、
を有することを特徴とする物資運用システム。
【請求項７】
コンピュータに、
店舗への物資の補給要求を受け付け、
前記補給要求を受け付けたことに応じて、前記物資を緊急支援物資として保管する複数の倉庫のいずれかの倉庫の中に、特定の時期以前に製造された緊急支援物資が存在するか否かを判定し、
前記特定の時期以前に製造された緊急支援物資が、前記物資を製造しているメーカの倉庫に存在する場合、前記特定の時期以前に製造された緊急支援物資を、前記メーカの倉庫から小売部門の倉庫に補給させ、前記特定の時期以前に製造された緊急支援物資を、前記小売部門の倉庫から前記店舗に補給させ、
前記特定の時期以前に製造された緊急支援物資が、前記メーカの倉庫に存在せず、前記小売部門の倉庫に存在する場合、前記特定の時期以前に製造された緊急支援物資を、前記小売部門の倉庫から前記店舗に補給させ、
前記特定の時期以前に製造された緊急支援物資が、前記メーカの倉庫および前記小売部門の倉庫に存在せず、前記緊急支援物資の保管専用の倉庫に存在する場合、前記特定の時期以前に製造された緊急支援物資を、前記緊急支援物資の保管専用の倉庫から前記店舗に補給させる、
処理を実行させることを特徴とする物資運用プログラム。
【発明の詳細な説明】
【技術分野】
【０００１】
本発明は、物資運用方法、物資運用装置、物資運用システムおよび物資運用プログラムに関する。
【背景技術】
【０００２】
従来、災害に備え、企業等が食品や飲料品等の緊急支援物資を保管しておくことが行われている。しかし、災害が発生しない場合、緊急支援物資は消費されないため、保管された緊急支援物資は、消費される前に賞味期限が切れることがある。
【０００３】
関連する先行技術としては、例えば、非常時用の備蓄米を備蓄しておき、非常時の使用がないとき、賞味期限が経過する前にその一部を利用するとともに、その利用分を新たに補充する技術がある。また、例えば、備蓄倉庫の緊急災害用物資の品質保持期限を管理して、品質保持期限前の引取期限に納品価格よりも低価格の引取価格で備蓄倉庫の緊急災害用物資を他に転売する技術がある。
【先行技術文献】
【特許文献】
【０００４】
【特許文献１】特開２００２−２６２７６８号公報
【特許文献２】特開２００４−３６２３０４号公報
【発明の概要】
【発明が解決しようとする課題】
【０００５】
しかしながら、従来技術では、災害に備えて保管した緊急支援物資を有効に活用できない場合がある。例えば、備蓄倉庫の緊急支援物資の品質保持期限接近のため、緊急災害用物資を安く転売しなければならず、緊急支援物資を有効に活用できない。
【０００６】
一つの側面では、本発明は、災害に備えて保管した緊急支援物資を有効に活用する物資運用方法、物資運用装置、物資運用システムおよび物資運用プログラムを提供することを目的とする。
【課題を解決するための手段】
【０００７】
本発明の一側面によれば、店舗への物資の補給要求を受け付け、前記補給要求を受け付けたことに応じて、前記物資を緊急支援物資として保管する複数の倉庫のいずれかの倉庫の中に、特定の時期以前に製造された緊急支援物資が存在するか否かを判定し、前記特定の時期以前に製造された緊急支援物資が存在する場合、前記特定の時期以前に製造された緊急支援物資を、前記倉庫から前記店舗に補給させる物資運用方法、物資運用装置、物資運用システムおよび物資運用プログラムを提供することを目的とする。
【発明の効果】
【０００８】
本発明の一態様によれば、災害に備えて保管した緊急支援物資を有効に活用することができるという効果を奏する。
【図面の簡単な説明】
【０００９】
【図１】図１は、実施の形態にかかる物資運用方法の一実施例を示す説明図である。
【図２】図２は、物資運用システム２００のシステム構成例を示す説明図である。
【図３】図３は、物資運用装置１０１のハードウェア構成例を示すブロック図である。
【図４】図４は、小売部門倉庫在庫管理ＤＢ４００の記憶内容の一例を示す説明図である。
【図５】図５は、物流部門倉庫在庫管理ＤＢ５００の記憶内容の一例を示す説明図である。
【図６】図６は、メーカ倉庫在庫管理ＤＢ６００の記憶内容の一例を示す説明図である。
【図７】図７は、小売部門倉庫緊急支援先ＤＢ７００の記憶内容の一例を示す説明図である。
【図８】図８は、物流部門倉庫緊急支援先ＤＢ８００の記憶内容の一例を示す説明図である。
【図９】図９は、メーカ倉庫緊急支援先ＤＢ９００の記憶内容の一例を示す説明図である。
【図１０】図１０は、小売部門倉庫通常配送先ＤＢ１０００の記憶内容の一例を示す説明図である。
【図１１】図１１は、物流部門倉庫通常配送先ＤＢ１１００の記憶内容の一例を示す説明図である。
【図１２】図１２は、メーカ倉庫通常配送先ＤＢ１２００の記憶内容の一例を示す説明図である。
【図１３】図１３は、物資運用装置１０１の機能的構成例を示すブロック図である。
【図１４】図１４は、物資運用装置１０１の物資運用処理手順の一例を示すフローチャートである。
【図１５】図１５は、物資運用装置１０１の物資運用処理の一実施例を示す説明図である。
【発明を実施するための形態】
【００１０】
以下に図面を参照して、本発明にかかる物資運用方法、物資運用装置、物資運用システムおよび物資運用プログラムの実施の形態を詳細に説明する。
【００１１】
（実施の形態）
図１は、実施の形態にかかる物資運用方法の一実施例を示す説明図である。図１において、物資運用装置１０１は、複数の倉庫に保管される緊急支援物資の運用を管理する装置である。
【００１２】
ここで、緊急支援物資とは、災害等の緊急時に備えて保管され、緊急時にあらかじめ契約されている緊急支援先に補給される物資である。例えば、緊急支援物資は、米、パン、水等の飲食物、電池等の緊急時に使用されるものである。また、倉庫とは、緊急支援物資を保管している場所である。また、倉庫は、緊急支援物資を保管する他に、店舗で販売される通常の物資も在庫（以下、「通常在庫」という。）として保管することもできる。
【００１３】
倉庫に、緊急支援物資を保管する場合、災害等が発生しない場合、緊急支援物資は利用されない場合が多い。また、緊急支援物資には、賞味期限があり、一定期間後には利用できないものがある。ここで、賞味期限とは、物資の品質が維持され、利用することが可能な期間のことである。このため、緊急支援物資を倉庫に保管しても、一定期間後に破棄されることが発生する。
【００１４】
そこで、実施の形態では、物資運用装置１０１は、店舗への物資の補給要求を受け付け、該物資を緊急支援物資として保管する倉庫の中で、特定の時期以前に製造された物資を保管する倉庫から店舗に補給させる。これにより、物資運用装置１０１は、緊急支援物資を通常在庫の補給ルートに載せることができる。このため、物資運用装置１０１は、緊急支援物資を破棄することをなくし、緊急支援物資を有効に活用させることができる。
【００１５】
以下、実施の形態にかかる物資運用装置１０１の一実施例について説明する。図１の例では、物資運用装置１０１が店舗１０２から物資の補給要求を受け付け、第１倉庫１０３と第２倉庫１０４が、物資を緊急支援物資として保管する倉庫である。ここで、第２倉庫１０４は、緊急支援物資だけでなく通常在庫も保管している。また、第１倉庫１０３および第２倉庫１０４から、店舗１０２に物資が補給されると、メーカ倉庫等から新しく製造された物資が補給されるものとする。
【００１６】
（１）物資運用装置１０１は、店舗１０２に設置された端末から物資の補給要求を受け付ける。例えば、物資運用装置１０１は、店舗１０２から補給する物資の種別および個数を受け付ける。
【００１７】
図１の例では、物資運用装置１０１は、店舗１０２に設置された端末から３つの物資の補給要求を受け付ける。
【００１８】
（２）物資運用装置１０１は、物資を緊急支援物資として保管する複数の倉庫のいずれかの倉庫の中に、特定の時期以前に製造された緊急支援物資が存在するか否かを判定する。ここで、特定の時期とは、緊急支援物資の賞味期限に基づいて設定される期間である。例えば、特定の時期は、緊急支援物資の賞味期限までの期間が所定の期間より短くなる時期である。また、例えば、緊急支援物資に、製造日を特定可能なロット番号を付与することにより、緊急支援物資が特定の時期以前に製造されたか否かを判断できる。
【００１９】
図１の例では、特定の時期以前に製造された緊急支援物資および特定の時期以前に製造された通常在庫を●で表し、特定の時期より後に製造された緊急支援物資および特定の時期より後に製造された通常在庫を○で表している。ここで、第２倉庫１０４では、緊急支援物資と通常在庫は、同じ品名のものであるが、緊急支援物資の在庫と通常在庫と区別している。
【００２０】
図１の例では、最初、第１倉庫１０３と第２倉庫１０４は（ａ）の状態であり、第１倉庫１０３と第２倉庫１０４は、特定の時期以前に製造された通常在庫および緊急支援物資を保管している。このため、物資運用装置１０１は、物資を緊急支援物資として保管する倉庫の中に、特定の時期以前に製造された緊急支援物資が存在すると判断する。
【００２１】
（３）物資運用装置１０１は、特定の時期以前に製造された緊急支援物資が存在する倉庫から、特定の時期以前に製造された緊急支援物資を店舗１０２に補給させる。
【００２２】
図１の例では、物資運用装置１０１は、第２倉庫１０４から、特定の時期以前に製造された緊急支援物資を店舗１０２に補給させる。ここで、第１倉庫１０３と第２倉庫１０４は（ａ）の状態であり、店舗１０２に補給される物資は、第２倉庫１０４の中で枠に囲まれた物資である。店舗１０２に補給した後、第１倉庫１０３と第２倉庫１０４は（ｂ）の状態になる。
【００２３】
また、物資運用装置１０１は、緊急支援物資の在庫と通常在庫の両方を有する場合、緊急支援物資の在庫と通常在庫のそれぞれの在庫から店舗に補給することができる。図１の例では、物資運用装置１０１は、第２倉庫１０４から、緊急支援物資の在庫から１つ、通常在庫から２つ店舗に補給する。
【００２４】
（４）物資運用装置１０１は、店舗１０２に設置された端末から物資の補給要求を受け付ける。図１の例では、物資運用装置１０１は、店舗１０２に設置された端末から３つの物資の補給要求を受け付ける。
【００２５】
（５）物資運用装置１０１は、物資を緊急支援物資として保管する複数の倉庫のいずれかの倉庫の中に、特定の時期以前に製造された緊急支援物資が存在するか否かを判定する。
【００２６】
図１の例では、第１倉庫１０３と第２倉庫１０４は（ｂ）の状態であり、第１倉庫１０３は、特定の時期以前に製造された緊急支援物資を保管している。このため、物資運用装置１０１は、物資を緊急支援物資として保管する倉庫の中に、特定の時期以前に製造された緊急支援物資が存在すると判断する。
【００２７】
（６）物資運用装置１０１は、特定の時期以前に製造された緊急支援物資が存在する倉庫から、特定の時期以前に製造された緊急支援物資を店舗１０２に補給させる。
【００２８】
図１の例では、物資運用装置１０１は、第２倉庫１０４から、特定の時期以前に製造された緊急支援物資を店舗１０２に補給させる。第１倉庫１０３と第２倉庫１０４は（ｂ）の状態であり、店舗１０２に補給される緊急支援物資は、第１倉庫１０３の中で枠に囲まれた物資である。店舗１０２に補給した後、第１倉庫１０３と第２倉庫１０４は（ｃ）の状態になり、特定の時期以前に製造された緊急支援物資を在庫として保管しない状態になる。
【００２９】
以上説明したように、物資運用装置１０１は、店舗１０２に設置された端末から物資の補給要求を受け付け、物資を緊急支援物資として保管する複数の倉庫のいずれかの倉庫の中に、特定の時期以前に製造された緊急支援物資が存在するか否かを判定する。物資運用装置１０１は、特定の時期以前に製造された緊急支援物資が存在する倉庫から、特定の時期以前に製造された緊急支援物資を店舗１０２に補給させる。
【００３０】
これにより、物資運用装置１０１は、緊急支援物資を通常在庫の補給ルートに載せることができる。このため、物資運用装置１０１は、特定の時期以前に製造された緊急支援物資を店舗１０２に補給させることができ、倉庫に存在する在庫を、特定の時期以前に製造されたものから、特定の時期以降に製造されたものにすることができる。
【００３１】
例えば、図１において、第１倉庫１０３と第２倉庫１０４は（ｃ）の状態になり、第１倉庫１０３と第２倉庫１０４の在庫は、特定の時期以降に製造されたものになる。このように、物資運用装置１０１は、緊急支援物資を破棄することをなくし、緊急支援物資を有効に活用させることができる。
【００３２】
（物資運用管理システム２００のシステム構成例）
図２は、物資運用管理システム２００のシステム構成例を示す説明図である。図２において、物資運用管理システム２００は、物資運用装置１０１と、店舗端末２０１と、メーカ端末２０２と、を含む構成である。物資運用管理システム２００において、物資運用装置１０１、店舗端末２０１およびメーカ端末２０２は、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３３】
物資運用装置１０１は、小売部門倉庫、物流部門倉庫およびメーカ倉庫に保管される物資の運用を管理する装置である。具体的には、例えば、物資運用装置１０１は、サーバ等のコンピュータである。また、物資運用装置１０１は、小売部門倉庫、物流部門倉庫およびメーカ倉庫を管理する複数のＤＢ（データベース）２２０を有する。複数のＤＢ２２０は、小売部門倉庫在庫管理ＤＢ４００、物流部門倉庫在庫管理ＤＢ５００、メーカ倉庫在庫管理ＤＢ６００、小売部門倉庫緊急支援先ＤＢ７００、物流部門倉庫緊急支援先ＤＢ８００およびメーカ倉庫緊急支援先ＤＢ９００を有する。また、複数のＤＢ２２０は、小売部門倉庫通常配送先ＤＢ１０００、物流部門倉庫通常配送先ＤＢ１１００およびメーカ倉庫通常配送先ＤＢ１２００を有する。これらの記憶内容については、図４〜図１２を用いて後述する。
【００３４】
店舗端末２０１は、店舗への物資の補給依頼を物資運用装置１０１に送信する装置である。具体的には、例えば、店舗端末２０１は、ＰＣ（パーソナル・コンピュータ）、サーバ等のコンピュータである。
【００３５】
メーカ端末２０２は、メーカがメーカ倉庫に物資を補給したことを物資運用装置１０１に送信する装置である。具体的には、例えば、メーカ端末２０２は、ＰＣ（パーソナル・コンピュータ）、サーバ等のコンピュータである。
【００３６】
（物資運用装置１０１のハードウェア構成例）
図３は、物資運用装置１０１のハードウェア構成例を示すブロック図である。図３において、物資運用装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３７】
ここで、ＣＰＵ３０１は、物資運用装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭは記憶部としてＣＰＵ３０１のワークエリアとして使用される。メモリ３０２に記憶されるプログラムは、ＣＰＵ３０１にロードされることで、コーディングされている処理をＣＰＵ３０１に実行させる。
【００３８】
Ｉ／Ｆ３０３は、通信回線を通じてＬＡＮ、ＷＡＮ、インターネットなどのネットワーク２１０に接続され、ネットワーク２１０を介して他のコンピュータ（例えば、図２に記載の店舗端末２０１およびメーカ端末２０２）に接続される。そして、Ｉ／Ｆ３０３は、ネットワーク２１０と内部のインターフェースを司り、他のコンピュータからのデータの入出力を制御する。Ｉ／Ｆ３０３には、例えば、モデムやＬＡＮアダプタなどを採用することができる。
【００３９】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４０】
なお、物資運用装置１０１は、上述した構成部のほか、例えば、ＳＳＤ（Ｓｏｌｉｄ  Ｓｔａｔｅ  Ｄｒｉｖｅ）、キーボード、マウス、プリンタ、ディスプレイなどを有することにしてもよい。また、図２に示した店舗端末２０１およびメーカ端末２０２についても、物資運用装置１０１と同様のハードウェア構成例により実現することができる。
【００４１】
（小売部門倉庫在庫管理ＤＢ４００の記憶内容の一例）
図４は、小売部門倉庫在庫管理ＤＢ４００の記憶内容の一例を示す説明図である。図４において、小売部門倉庫在庫管理ＤＢ４００は、物資運用装置１０１によって作成、更新され、物資運用装置１０１のメモリ３０２またはディスク３０５に記憶される。
【００４２】
小売部門倉庫在庫管理ＤＢ４００は、小売部門倉庫にある物資の在庫を記録する。小売部門倉庫とは、店舗用の在庫を保管する倉庫である。例えば、小売部門倉庫は、店舗に最も近い倉庫である。小売部門倉庫在庫管理ＤＢ４００は、仕様、品名、ＬｏｔＮｏ．（ＬｏｔＮｕｍｂｅｒ）、賞味期限、通常在庫数および緊急支援物資在庫数の項目を有する。小売部門倉庫在庫管理ＤＢ４００は、各項目に情報を設定することで、小売部門倉庫在庫情報（例えば、小売部門倉庫在庫情報４００−１〜４００−２）をレコードとして記憶する。
【００４３】
ここで、仕様は、小売部門倉庫にある物資を識別するための識別子を示す。また、品名は、物資の種別を示す。また、ＬｏｔＮｏ．は、物資の製造日に関連する番号を示す。例えば、ＬｏｔＮｏ．は、物資の製造日であってもよく、物資の製造日を特定できる番号であってもよい。また、賞味期限は、物資の品質が維持される日付を示す。例えば、賞味期限は、年月日で示される。また、通常在庫数は、物資の在庫の中で、通常在庫の数を示す。ここで、通常在庫とは、メーカが製造して店舗に補給される物資の在庫である。また、緊急支援物資在庫数は、物資の在庫の中で、緊急支援物資の在庫数を示す。ここで、緊急支援物資とは、緊急時に緊急支援先に補給される物資である。
【００４４】
図４の例では、レコード４００−１は、仕様「ＷＴ００１」の物資の品名が「水」であり、ＬｏｔＮｏ．が「２０１５０６０１」であり、賞味期限が２０１６年６月１日であり、通常在庫の数が１０００であり、緊急支援物資在庫の数が２６０であることを示す。
【００４５】
（物流部門倉庫在庫管理ＤＢ５００の記憶内容の一例）
図５は、物流部門倉庫在庫管理ＤＢ５００の記憶内容の一例を示す説明図である。図５において、物流部門倉庫在庫管理ＤＢ５００は、物資運用装置１０１によって作成、更新され、物資運用装置１０１のメモリ３０２またはディスク３０５に記憶される。
【００４６】
物流部門倉庫在庫管理ＤＢ５００は、物流部門の倉庫にある物資の在庫を記録する。物流部門倉庫在庫管理ＤＢ５００は、仕様、品名、ＬｏｔＮｏ．、賞味期限、通常在庫数および緊急支援物資在庫数の項目を有する。物流部門倉庫在庫管理ＤＢ５００は、各項目に情報を設定することで、物流部門倉庫在庫情報（例えば、物流部門倉庫在庫情報５００−１）をレコードとして記憶する。
【００４７】
ここで、仕様は、物流部門の倉庫にある物資を識別するための識別子を示す。また、品名は、物資の種別を示す。また、ＬｏｔＮｏ．は、物資の製造日に関連する番号を示す。例えば、ＬｏｔＮｏ．は、物資の製造日であってもよく、物資の製造日を特定できる番号であってもよい。また、賞味期限は、物資の品質が維持される日付を示す。例えば、賞味期限は、年月日で示される。また、通常在庫数は、物資の在庫の中で、通常在庫の数を示す。また、緊急支援物資在庫数は、物資の在庫の中で、緊急支援物資の在庫数を示す。
【００４８】
また、物流部門倉庫は、メーカ倉庫および小売部門倉庫が緊急配送先から距離的に離れていて、緊急時に緊急支援物資を迅速に配送できない場合に、緊急配送先の近くに設置されるものである。このため、物流部門倉庫は、通常在庫を保管せず、通常在庫の数は０になる。
【００４９】
図５の例では、レコード５００−１は、仕様「ＷＴ００１」の物資の品名が「水」であり、ＬｏｔＮｏ．が「２０１５０６０１」であり、賞味期限が２０１６年６月１日であり、通常在庫の数が０であり、緊急支援物資在庫の数が２７０であることを示す。
【００５０】
（メーカ倉庫在庫管理ＤＢ６００の記憶内容の一例）
図６は、メーカ倉庫在庫管理ＤＢ６００の記憶内容の一例を示す説明図である。図６において、メーカ倉庫在庫管理ＤＢ６００は、物資運用装置１０１によって作成、更新され、物資運用装置１０１のメモリ３０２またはディスク３０５に記憶される。
【００５１】
メーカ倉庫在庫管理ＤＢ６００は、メーカ倉庫にある物資の在庫を記録する。メーカ倉庫在庫管理ＤＢ６００は、仕様、品名、ＬｏｔＮｏ．、賞味期限、通常在庫数および緊急支援物資在庫数の項目を有する。メーカ倉庫在庫管理ＤＢ６００は、各項目に情報を設定することで、メーカ倉庫在庫情報（例えば、メーカ倉庫在庫情報６００−１〜６００−２）をレコードとして記憶する。
【００５２】
ここで、仕様は、メーカ倉庫にある物資を識別するための識別子を示す。また、品名は、物資の種別を示す。また、ＬｏｔＮｏ．は、物資の製造日に関連する番号を示す。例えば、ＬｏｔＮｏ．は、物資の製造日であってもよく、物資の製造日を特定できる番号であってもよい。また、賞味期限は、物資の品質が維持される日付を示す。例えば、賞味期限は、年月日で示される。また、通常在庫数は、物資の在庫の中で、通常在庫の数を示す。また、緊急支援物資在庫数は、物資の在庫の中で、緊急支援物資の在庫数を示す。
【００５３】
また、メーカが物資を製造して、メーカ倉庫に物資を補給した場合、メーカ端末２０２が物資運用装置１０１に、補給した物資の仕様および数量を送信する。物資運用装置１０１は、補給した物資の仕様および数量を受信したことに応じて、メーカ倉庫在庫管理ＤＢ６００を更新する。
【００５４】
図６の例では、レコード６００−１は、仕様「ＷＴ００１」の物資の品名が「水」であり、ＬｏｔＮｏ．が「２０１５０７０１」であり、賞味期限が２０１６年７月１日であり、通常在庫の数が３０００であり、緊急支援物資在庫の数が３００であることを示す。
【００５５】
（小売部門倉庫緊急支援先ＤＢ７００の記憶内容の一例）
図７は、小売部門倉庫緊急支援先ＤＢ７００の記憶内容の一例を示す説明図である。図７において、小売部門倉庫緊急支援先ＤＢ７００は、物資運用装置１０１によって作成、更新され、物資運用装置１０１のメモリ３０２またはディスク３０５に記憶される。
【００５６】
小売部門倉庫緊急支援先ＤＢ７００は、小売部門倉庫にある物資の緊急時の支援先を記録する。小売部門倉庫緊急支援先ＤＢ７００は、仕様、品名、緊急支援先および数量の項目を有する。小売部門倉庫緊急支援先ＤＢ７００は、各項目に情報を設定することで、小売部門倉庫緊急支援先情報（例えば、小売部門倉庫緊急支援先情報７００−１〜７００−３）をレコードとして記憶する。
【００５７】
ここで、仕様は、小売部門倉庫にある物資を識別するための識別子を示す。また、品名は、物資の種別を示す。また、緊急支援先は、緊急時に物資を配送する先を示す。また、数量は、緊急時に配送する物資の数を示す。ここで、緊急時に、緊急支援先に、小売部門倉庫緊急支援先ＤＢ７００の数量の物資を配送するため、小売部門倉庫在庫管理ＤＢ４００の緊急支援物資在庫の数は、小売部門倉庫緊急支援先ＤＢ７００の数量をすべて加算した値以上である。
【００５８】
図７の例では、レコード７００−１は、仕様「ＷＴ００１」の物資の品名が「水」であり、緊急支援先が「契約事務所Ｄ」であり、配送する物資の数が「６０」であることを示す。
【００５９】
（物流部門倉庫緊急支援先ＤＢ８００の記憶内容の一例）
図８は、物流部門倉庫緊急支援先ＤＢ８００の記憶内容の一例を示す説明図である。図８において、物流部門倉庫緊急支援先ＤＢ８００は、物資運用装置１０１によって作成、更新され、物資運用装置１０１のメモリ３０２またはディスク３０５に記憶される。
【００６０】
物流部門倉庫緊急支援先ＤＢ８００は、物流部門の倉庫にある物資の緊急時の支援先を記録する。物流部門倉庫緊急支援先ＤＢ８００は、仕様、品名、緊急支援先および数量の項目を有する。物流部門倉庫緊急支援先ＤＢ８００は、各項目に情報を設定することで、物流部門倉庫緊急支援先情報（例えば、物流部門倉庫緊急支援先情報８００−１〜８００−３）をレコードとして記憶する。
【００６１】
ここで、仕様は、物流部門の倉庫にある物資を識別するための識別子を示す。また、品名は、物資の種別を示す。また、緊急支援先は、緊急時に物資を配送する先を示す。また、数量は、緊急時に配送する物資の数を示す。ここで、緊急時に、緊急支援先に、物流部門倉庫緊急支援先ＤＢ８００の数量の物資を配送するため、物流部門倉庫在庫管理ＤＢ５００の緊急支援物資在庫の数は、物流部門倉庫緊急支援先ＤＢ８００の数量をすべて加算した値以上である。
【００６２】
図８の例では、レコード８００−１は、仕様「ＷＴ００１」の物資の品名が「水」であり、緊急支援先が「契約事務所Ｇ」であり、配送する物資の数が「７０」であることを示す。
【００６３】
（メーカ倉庫緊急支援先ＤＢ９００の記憶内容の一例）
図９は、メーカ倉庫緊急支援先ＤＢ９００の記憶内容の一例を示す説明図である。図９において、メーカ倉庫緊急支援先ＤＢ９００は、物資運用装置１０１によって作成、更新され、物資運用装置１０１のメモリ３０２またはディスク３０５に記憶される。
【００６４】
メーカ倉庫緊急支援先ＤＢ９００は、メーカ倉庫にある物資の緊急時の支援先を記録する。メーカ倉庫緊急支援先ＤＢ９００は、仕様、品名、緊急支援先および数量の項目を有する。メーカ倉庫緊急支援先ＤＢ９００は、各項目に情報を設定することで、メーカ倉庫緊急支援先情報（例えば、メーカ倉庫緊急支援先情報９００−１〜９００−３）をレコードとして記憶する。
【００６５】
ここで、仕様は、メーカ倉庫にある物資を識別するための識別子を示す。また、品名は、物資の種別を示す。また、緊急支援先は、緊急時に物資を配送する先を示す。また、数量は、緊急時に配送する物資の数を示す。ここで、緊急時に、緊急支援先に、メーカ倉庫緊急支援先ＤＢ９００の数量の物資を配送するため、メーカ倉庫在庫管理ＤＢ６００の緊急支援物資在庫の数は、メーカ倉庫緊急支援先ＤＢ９００の数量をすべて加算した値以上である。
【００６６】
図９の例では、レコード９００−１は、仕様「ＷＴ００１」の物資の品名が「水」であり、緊急支援先が「契約事務所Ａ」であり、配送する物資の数が「５０」であることを示す。
【００６７】
（小売部門倉庫通常配送先ＤＢ１０００の記憶内容の一例）
図１０は、小売部門倉庫通常配送先ＤＢ１０００の記憶内容の一例を示す説明図である。図１０において、小売部門倉庫通常配送先ＤＢ１０００は、物資運用装置１０１によって作成、更新され、物資運用装置１０１のメモリ３０２またはディスク３０５に記憶される。
【００６８】
小売部門倉庫通常配送先ＤＢ１０００は、小売部門倉庫にある物資の通常時の配送先を記録する。小売部門倉庫通常配送先ＤＢ１０００は、仕様、品名および配送先の項目を有する。小売部門倉庫通常配送先ＤＢ１０００は、各項目に情報を設定することで、小売部門倉庫通常配送先情報（例えば、小売部門倉庫通常配送先情報１０００−１〜１０００−３）をレコードとして記憶する。
【００６９】
ここで、仕様は、小売部門倉庫にある物資を識別するための識別子を示す。また、品名は、物資の種別を示す。また、配送先は、通常時に物資を配送する先を示す。
【００７０】
図１０の例では、レコード１０００−１は、仕様「ＷＴ００１」の物資の品名が「水」であり、配送先が「店舗Ｊ」であることを示す。
【００７１】
（物流部門倉庫通常配送先ＤＢ１１００の記憶内容の一例）
図１１は、物流部門倉庫通常配送先ＤＢ１１００の記憶内容の一例を示す説明図である。図１１において、物流部門倉庫通常配送先ＤＢ１１００は、物資運用装置１０１によって作成、更新され、物資運用装置１０１のメモリ３０２またはディスク３０５に記憶される。
【００７２】
物流部門倉庫通常配送先ＤＢ１１００は、物流部門の倉庫にある物資の通常時の配送先を記録する。物流部門倉庫通常配送先ＤＢ１１００は、仕様、品名および配送先の項目を有する。物流部門倉庫通常配送先ＤＢ１１００は、各項目に情報を設定することで、物流部門倉庫通常配送先情報（例えば、物流部門倉庫通常配送先情報１１００−１）をレコードとして記憶する。
【００７３】
ここで、仕様は、物流部門の倉庫にある物資を識別するための識別子を示す。また、品名は、物資の種別を示す。また、配送先は、通常時に物資を配送する先を示す。
【００７４】
図１１の例では、レコード１１００−１は、仕様「ＷＴ００１」の物資の品名が「水」であり、配送先が「小売部門倉庫」であることを示す。
【００７５】
（メーカ倉庫通常配送先ＤＢ１２００の記憶内容の一例）
図１２は、メーカ倉庫通常配送先ＤＢ１２００の記憶内容の一例を示す説明図である。図１２において、メーカ倉庫通常配送先ＤＢ１２００は、物資運用装置１０１によって作成、更新され、物資運用装置１０１のメモリ３０２またはディスク３０５に記憶される。
【００７６】
メーカ倉庫通常配送先ＤＢ１２００は、メーカ倉庫にある物資の通常時の配送先を記録する。メーカ倉庫通常配送先ＤＢ１２００は、仕様、品名および配送先の項目を有する。メーカ倉庫通常配送先ＤＢ１２００は、各項目に情報を設定することで、メーカ倉庫通常配送先情報（例えば、メーカ倉庫通常配送先情報１２００−１〜１２００−２）をレコードとして記憶する。
【００７７】
ここで、仕様は、メーカ倉庫にある物資を識別するための識別子を示す。また、品名は、物資の種別を示す。また、配送先は、通常時に物資を配送する先を示す。
【００７８】
図１２の例では、レコード１２００−１は、仕様「ＷＴ００１」の物資の品名が「水」であり、配送先が「物流部門倉庫」であることを示す。
【００７９】
（物資運用装置１０１の機能的構成例）
図１３は、物資運用装置１０１の機能的構成例を示すブロック図である。図１３において、物資運用装置１０１は、受信部１３０１と、判定部１３０２と、補給部１３０３と、更新部１３０４と、を含む構成である。受信部１３０１と、判定部１３０２と、補給部１３０３と、更新部１３０４と、を含む制御部は、具体的には、例えば、図３に示したメモリ３０２などの記憶装置に記憶されたプログラムをＣＰＵ３０１に実行させることにより、その機能を実現する。各機能部の処理結果は、例えば、図３に示したメモリ３０２などの記憶装置に記憶される。
【００８０】
受信部１３０１は、店舗端末２０１から、補給依頼を受け付ける機能を有する。例えば、受信部１３０１は、店舗端末２０１から、仕様、数量、店舗名等を含む補給依頼を受信する。また、受信部１３０１は、メーカ端末２０２からメーカがメーカ倉庫に補給した物資の仕様および数量を受信する機能を有する。
【００８１】
判定部１３０２は、受信部１３０１が受け付けた補給依頼に含まれる仕様の旧ロットの物資が、メーカ倉庫にあるか否かを判定する機能を有する。例えば、判定部１３０２は、仕様ごとに旧ロット番号を物資運用装置１０１のメモリ３０２等の記憶装置に保持しておき、当該仕様の旧ロット番号がメーカ倉庫在庫管理ＤＢ６００のＬｏｔＮｏ．の中にあるか否かを判定する。
【００８２】
また、判定部１３０２は、受信部１３０１が受け付けた補給依頼に含まれる仕様の旧ロットの物資が、小売部門倉庫にあるか否かを判定する機能を有する。例えば、判定部１３０２は、仕様ごとの旧ロット番号を物資運用装置１０１のメモリ３０２等の記憶装置に保持しておき、当該仕様の旧ロット番号が小売部門倉庫在庫管理ＤＢ４００のＬｏｔＮｏ．の中にあるか否かを判定する。
【００８３】
また、判定部１３０２は、受信部１３０１が受け付けた補給依頼に含まれる仕様の旧ロットの物資が、物流部門倉庫にあるか否かを判定する機能を有する。例えば、判定部１３０２は、仕様ごとの旧ロット番号を物資運用装置１０１のメモリ３０２等の記憶装置に保持しておき、当該仕様の旧ロット番号が物流部門倉庫在庫管理ＤＢ５００のＬｏｔＮｏ．の中にあるか否かを判定する。
【００８４】
補給部１３０３は、受信部１３０１が受け付けた補給依頼に含まれる仕様の物資を補給させる機能を有する。例えば、補給部１３０３は、受信部１３０１が受け付けた補給依頼に含まれる仕様の旧ロットの物資が、メーカ倉庫にある場合、メーカ倉庫から旧ロットの物資を小売部門倉庫に補給させ、小売部門倉庫から旧ロットの物資を店舗に補給させる。
【００８５】
また、例えば、補給部１３０３は、受信部１３０１が受け付けた補給依頼に含まれる仕様の旧ロットの物資が、小売部門倉庫にある場合、メーカ倉庫から新ロットの物資を小売部門倉庫に補給させ、小売部門倉庫から旧ロットの物資を店舗に補給させる。
【００８６】
また、例えば、補給部１３０３は、受信部１３０１が受け付けた補給依頼に含まれる仕様の旧ロットの物資が、物流部門倉庫にある場合、メーカ倉庫から新ロットの物資を物流部門倉庫に補給させ、物流部門倉庫から旧ロットの物資を店舗に補給させる。
【００８７】
更新部１３０４は、小売部門倉庫在庫管理ＤＢ４００、物流部門倉庫在庫管理ＤＢ５００およびメーカ倉庫在庫管理ＤＢ６００を更新する機能を有する。例えば、更新部１３０４は、補給部１３０３が小売部門倉庫から物資を店舗に補給した場合、小売部門倉庫在庫管理ＤＢ４００の通常在庫数および緊急支援物資在庫数を更新する。
【００８８】
例えば、更新部１３０４は、補給部１３０３がメーカ倉庫から物資を小売部門倉庫に補給した場合、メーカ倉庫在庫管理ＤＢ６００および小売部門倉庫在庫管理ＤＢ４００の通常在庫数および緊急支援物資在庫数を更新する。
【００８９】
例えば、更新部１３０４は、補給部１３０３がメーカ倉庫から物資を物流部門倉庫に補給した場合、メーカ倉庫在庫管理ＤＢ６００および物流部門倉庫在庫管理ＤＢ５００の通常在庫数および緊急支援物資在庫数を更新する。
【００９０】
例えば、更新部１３０４は、補給部１３０３が物流部門倉庫から物資を店舗に補給した場合、物流部門倉庫在庫管理ＤＢ５００の緊急支援物資在庫数を更新する。
【００９１】
また、更新部１３０４は、受信部１３０１がメーカ端末２０２からメーカ倉庫に補給した物資の仕様および数量を受信した場合、メーカ倉庫在庫管理ＤＢ６００を更新する。
【００９２】
また、更新部１３０４は、小売部門倉庫、物流部門倉庫およびメーカ倉庫に受信部１３０１が受け付けた補給依頼に含まれる仕様の旧ロットの物資がない場合、旧ロット番号を更新する。
【００９３】
（物資運用処理手順の一例）
図１４は、物資運用装置１０１の物資運用処理手順の一例を示すフローチャートである。図１４において、まず、物資運用装置１０１は、補給依頼を受け付けたか否かを判断する（ステップＳ１４０１）。例えば、物資運用装置１０１は、店舗端末２０１から、仕様、数量、店舗名等を含む補給依頼を受け付けたか否かを判断する。
【００９４】
補給依頼を受け付けない場合（ステップＳ１４０１：Ｎｏ）、物資運用装置１０１の処理は、ステップＳ１４０１に戻り、補給依頼の受け付けを待つ。補給依頼を受け付けた場合（ステップＳ１４０１：Ｙｅｓ）、物資運用装置１０１は、メーカ倉庫に旧ロットがあるか否かを判断する（ステップＳ１４０２）。
【００９５】
ここで、物資運用装置１０１は、仕様ごとの旧ロット番号を物資運用装置１０１のメモリ３０２等の記憶装置に保持しておく。物資運用装置１０１は、補給依頼に含まれる仕様のメーカ倉庫在庫管理ＤＢ６００のレコードを抽出する。物資運用装置１０１は、抽出したレコードのＬｏｔＮｏ．の中に、当該仕様の旧ロット番号に対応する番号があるか否かにより、メーカ倉庫に旧ロットがあるか否かを判断することができる。
【００９６】
ここで、物資運用装置１０１は、旧ロット番号を賞味期限に基づいて設定することができる。例えば、物資運用装置１０１は、賞味期限までの期間が、所定の期間より短い時期に製造された物資のロット番号を旧ロット番号とすることができる。
【００９７】
メーカ倉庫に旧ロットがある場合（ステップＳ１４０２：Ｙｅｓ）、物資運用装置１０１は、メーカ倉庫から旧ロットの物資を小売部門倉庫に補給させる（ステップＳ１４０３）。ここで、物資運用装置１０１は、ステップＳ１４０１で受け付けた数量に一定の割合を掛けた数量の物資をメーカ倉庫の通常在庫から小売部門倉庫に補給させることができる。また、物資運用装置１０１は、ステップＳ１４０１で受け付けた数量に、１から一定の割合を引いた値を掛けた数量の物資を、メーカ倉庫緊急支援物資から小売部門倉庫に補給させることができる。また、メーカ倉庫が複数存在する場合、物資運用装置１０１は、小売部門倉庫から最も近いメーカ倉庫から小売部門倉庫に物資を補給させることができる。
【００９８】
次に、物資運用装置１０１は、小売部門倉庫から旧ロットの物資を店舗に補給させる（ステップＳ１４０４）。ここで、物資運用装置１０１は、ステップＳ１４０１で受け付けた数量に一定の割合を掛けた数量の物資を小売部門倉庫の通常在庫から店舗に補給させることができる。また、物資運用装置１０１は、ステップＳ１４０１で受け付けた数量に、１から一定の割合を引いた値を掛けた数量の物資を、小売部門倉庫の緊急支援物資から店舗に補給させることができる。これにより、物資運用装置１０１の処理は、終了する。
【００９９】
メーカ倉庫に旧ロットがない場合（ステップＳ１４０２：Ｎｏ）、物資運用装置１０１は、小売部門倉庫に旧ロットがあるか否かを判断する（ステップＳ１４０５）。ここで、物資運用装置１０１は、補給依頼に含まれる仕様の小売部門倉庫在庫管理ＤＢ４００のレコードを抽出する。物資運用装置１０１は、抽出したレコードのＬｏｔＮｏ．の中に、当該仕様の旧ロット番号に対応する番号があるか否かにより、小売部門倉庫に旧ロットがあるか否かを判断することができる。
【０１００】
小売部門倉庫に旧ロットがある場合（ステップＳ１４０５：Ｙｅｓ）、物資運用装置１０１は、メーカ倉庫から新ロットの物資を小売部門倉庫に補給させる（ステップＳ１４０６）。ここで、物資運用装置１０１は、ステップＳ１４０１で受け付けた数量に一定の割合を掛けた数量の物資をメーカ倉庫の通常在庫から小売部門倉庫に補給させることができる。また、物資運用装置１０１は、ステップＳ１４０１で受け付けた数量に、１から一定の割合を引いた値を掛けた数量の物資を、メーカ倉庫緊急支援物資から小売部門倉庫に補給させることができる。また、メーカ倉庫が複数存在する場合、物資運用装置１０１は、小売部門倉庫から最も近いメーカ倉庫から小売部門倉庫に物資を補給させることができる。
【０１０１】
次に、物資運用装置１０１は、小売部門倉庫から旧ロットの物資を店舗に補給させる（ステップＳ１４０７）。ここで、物資運用装置１０１は、ステップＳ１４０１で受け付けた数量に一定の割合を掛けた数量の物資を小売部門倉庫の通常在庫から店舗に補給させることができる。また、物資運用装置１０１は、ステップＳ１４０１で受け付けた数量に、１から一定の割合を引いた値を掛けた数量の物資を、小売部門倉庫の緊急支援物資から店舗に補給させることができる。これにより、物資運用装置１０１の処理は、終了する。
【０１０２】
小売部門倉庫に旧ロットがない場合（ステップＳ１４０５：Ｎｏ）、物資運用装置１０１は、物流部門倉庫に旧ロットがあるか否かを判断する（ステップＳ１４０８）。ここで、物資運用装置１０１は、補給依頼に含まれる仕様の物流部門倉庫在庫管理ＤＢ５００のレコードを抽出する。物資運用装置１０１は、抽出したレコードのＬｏｔＮｏ．の中に、当該仕様の旧ロット番号に対応する番号があるか否かにより、物流部門倉庫に旧ロットがあるか否かを判断することができる。
【０１０３】
物流部門倉庫に旧ロットがある場合（ステップＳ１４０８：Ｙｅｓ）、物資運用装置１０１は、メーカ倉庫から新ロットの物資を物流部門倉庫に補給させる（ステップＳ１４０９）。ここで、物資運用装置１０１は、ステップＳ１４０１で受け付けた数量に一定の割合を掛けた数量の物資をメーカ倉庫の通常在庫から物流部門倉庫に補給させることができる。また、物資運用装置１０１は、ステップＳ１４０１で受け付けた数量に、１から一定の割合を引いた値を掛けた数量の物資を、メーカ倉庫の緊急支援物資から物流部門倉庫に補給させることができる。また、メーカ倉庫が複数存在する場合、物資運用装置１０１は、物流部門倉庫から最も近いメーカ倉庫から物流部門倉庫に物資を補給させることができる。
【０１０４】
次に、物資運用装置１０１は、物流部門倉庫から旧ロットの物資を店舗に補給させる（ステップＳ１４１０）。ここで、物資運用装置１０１は、ステップＳ１４０１で受け付けた数量に一定の割合を掛けた数量の物資を物流部門倉庫の通常在庫から店舗に補給させることができる。また、物資運用装置１０１は、ステップＳ１４０１で受け付けた数量に、１から一定の割合を引いた値を掛けた数量の物資を物流部門倉庫の緊急支援物資から店舗に補給させることができる。また、物流部門倉庫が複数存在する場合、物資運用装置１０１は、店舗から最も近い物流部門倉庫から店舗に物資を補給させることができる。これにより、物資運用装置１０１の処理は、終了する。
【０１０５】
物流部門倉庫に旧ロットがない場合（ステップＳ１４０８：Ｎｏ）、物資運用装置１０１は、旧ロット番号を更新する（ステップＳ１４１１）。ここで、物資運用装置１０１は、小売部門倉庫在庫管理ＤＢ４００、物流部門倉庫在庫管理ＤＢ５００、メーカ倉庫在庫管理ＤＢ６００のＬｏｔＮｏ．の中で最も小さいＬｏｔＮｏ．を旧ロット番号とすることができる。また、物資運用装置１０１は、旧ロット番号を賞味期限に基づいて設定することもできる。また、物資運用装置１０１は、複数の番号を旧ロット番号とすることもできる。
【０１０６】
この後、物資運用装置１０１の処理は、ステップＳ１４０２に戻る。旧ロット番号が更新されているため、メーカ倉庫に旧ロットの物資が存在することになる。このため、物資運用装置１０１は、メーカ倉庫から旧ロットの物資を小売部門倉庫に補給させ（ステップＳ１４０３）、小売部門倉庫から旧ロットの物資を店舗に補給させる（ステップＳ１４０４）。これにより、物資運用装置１０１の処理は、終了する。
【０１０７】
これにより、本フローチャートにおける一連の処理は終了する。本フローチャートを実行することで、物資運用装置１０１は、小売部門倉庫、物流部門倉庫およびメーカ倉庫の旧ロットの物資を店舗に補給して、小売部門倉庫、物流部門倉庫およびメーカ倉庫の在庫を入れ替えることができる。
【０１０８】
（物資運用処理の一実施例）
図１５は、物資運用装置１０１の物資運用処理の一実施例を示す説明図である。図１５（ａ）〜図１５（ｆ）の例では、ステップＳ１４０１で、物資運用装置１０１が店舗端末２０１から３つの物資の補給依頼を受け付け、ステップＳ１４０２で、小売部門倉庫に補給が要と判定した場合の例である。また、図１５の例では、●が旧ロットの物資を表し、○が新ロットの物資を表している。また、図１５の例では、一定の割合として、１／３が設定されている。このため、小売部門倉庫およびメーカ倉庫から、通常在庫の２つの物資と緊急支援物資の１つの物資が店舗に補給されることになる。
【０１０９】
また、メーカ倉庫から小売部門倉庫または物流部門倉庫に物資が補給されると、メーカの工場から新ロットの物資がメーカ倉庫に補給されるものとする。また、図１５において、メーカ倉庫、物流部門倉庫、小売部門倉庫の枠に囲まれた物資が補給される物資を表している。
【０１１０】
（ａ）物資運用装置１０１は、メーカ倉庫に旧ロットがあるか否かを判断する（ステップＳ１４０２）。ここで、メーカ倉庫に旧ロットがあるため（ステップＳ１４０２：Ｙｅｓ）、物資運用装置１０１は、メーカ倉庫から旧ロットの物資を小売部門倉庫に補給させる（ステップＳ１４０３）。次に、物資運用装置１０１は、小売部門倉庫から旧ロットの物資を店舗に補給させる（ステップＳ１４０４）。これにより、メーカ倉庫の旧ロットの物資が３つ減り、メーカ倉庫の新ロットの物資が６つになる。
【０１１１】
（ｂ）物資運用装置１０１は、メーカ倉庫に旧ロットがあるか否かを判断する（ステップＳ１４０２）。ここで、メーカ倉庫に旧ロットがあるため（ステップＳ１４０２：Ｙｅｓ）、物資運用装置１０１は、メーカ倉庫から旧ロットの物資を小売部門倉庫に補給させる（ステップＳ１４０３）。次に、物資運用装置１０１は、小売部門倉庫から旧ロットの物資を店舗に補給させる（ステップＳ１４０４）。これにより、メーカ倉庫の旧ロットの物資が３つ減り、メーカ倉庫には、旧ロットの物資がなくなる。
【０１１２】
（ｃ）物資運用装置１０１は、メーカ倉庫に旧ロットがあるか否かを判断する（ステップＳ１４０２）。ここで、メーカ倉庫に旧ロットがないため（ステップＳ１４０２：Ｎｏ）、物資運用装置１０１は、小売部門倉庫に旧ロットがあるか否かを判断する（ステップＳ１４０５）。小売部門倉庫に旧ロットがあるため（ステップＳ１４０５：Ｙｅｓ）、物資運用装置１０１は、メーカ倉庫から新ロットの物資を小売部門倉庫に補給させる（ステップＳ１４０６）。次に、物資運用装置１０１は、小売部門倉庫から旧ロットの物資を店舗に補給させる（ステップＳ１４０７）。これにより、小売部門倉庫の旧ロットの物資が３つ減り、小売部門倉庫の新ロットの物資が３つになる。
【０１１３】
（ｄ）物資運用装置１０１は、メーカ倉庫に旧ロットがあるか否かを判断する（ステップＳ１４０２）。ここで、メーカ倉庫に旧ロットがないため（ステップＳ１４０２：Ｎｏ）、物資運用装置１０１は、小売部門倉庫に旧ロットがあるか否かを判断する（ステップＳ１４０５）。小売部門倉庫に旧ロットがあるため（ステップＳ１４０５：Ｙｅｓ）、物資運用装置１０１は、メーカ倉庫から新ロットの物資を小売部門倉庫に補給させる（ステップＳ１４０６）。次に、物資運用装置１０１は、小売部門倉庫から旧ロットの物資を店舗に補給させる（ステップＳ１４０７）。これにより、小売部門倉庫の旧ロットの物資が３つ減り、小売部門倉庫には、旧ロットの物資がなくなる。
【０１１４】
（ｅ）物資運用装置１０１は、メーカ倉庫に旧ロットがあるか否かを判断する（ステップＳ１４０２）。ここで、メーカ倉庫に旧ロットがないため（ステップＳ１４０２：Ｎｏ）、物資運用装置１０１は、小売部門倉庫に旧ロットがあるか否かを判断する（ステップＳ１４０５）。小売部門倉庫に旧ロットがないため（ステップＳ１４０５：Ｎｏ）、物資運用装置１０１は、物流部門倉庫に旧ロットがあるか否かを判断する（ステップＳ１４０８）。物流部門倉庫に旧ロットがあるため（ステップＳ１４０８：Ｙｅｓ）、物資運用装置１０１は、メーカ倉庫から新ロットの物資を物流部門倉庫に補給させる（ステップＳ１４０９）。次に、物資運用装置１０１は、物流部門倉庫から旧ロットの物資を店舗に補給させる（ステップＳ１４１０）。これにより、物流部門倉庫の旧ロットの物資が３つ減り、物流部門倉庫の新ロットの物資が３つになる。
【０１１５】
（ｆ）物資運用装置１０１は、メーカ倉庫に旧ロットがあるか否かを判断する（ステップＳ１４０２）。ここで、メーカ倉庫に旧ロットがないため（ステップＳ１４０２：Ｎｏ）、物資運用装置１０１は、小売部門倉庫に旧ロットがあるか否かを判断する（ステップＳ１４０５）。小売部門倉庫に旧ロットがないため（ステップＳ１４０５：Ｎｏ）、物資運用装置１０１は、物流部門倉庫に旧ロットがあるか否かを判断する（ステップＳ１４０８）。物流部門倉庫に旧ロットがあるため（ステップＳ１４０８：Ｙｅｓ）、物資運用装置１０１は、メーカ倉庫から新ロットの物資を物流部門倉庫に補給させる（ステップＳ１４０９）。次に、物資運用装置１０１は、物流部門倉庫から旧ロットの物資を店舗に補給させる（ステップＳ１４１０）。これにより、物流部門倉庫の旧ロットの物資が３つ減り、物流部門倉庫には、旧ロットの物資がなくなる。
【０１１６】
この後、物資運用装置１０１が旧ロット番号を更新する（ステップＳ１４１０）ことにより、○の物資が旧ロットの物資になり、図１５（ａ）と同様の状態になる。
【０１１７】
以上のように、物資運用装置１０１が、図１５（ａ）〜図１５（ｆ）の処理を行うことにより、小売部門倉庫、物流部門倉庫およびメーカ倉庫の●の物資を店舗に補給して、小売部門倉庫、物流部門倉庫およびメーカ倉庫の在庫を入れ替え、○の物資にすることができる。
【０１１８】
以上説明したように、物資運用装置１０１は、店舗端末２０１から物資の補給要求を受け付け、物資を緊急支援物資として保管する複数の倉庫のいずれかの倉庫の中に、特定の時期以前に製造された緊急支援物資が存在するか否かを判定する。物資運用装置１０１は、特定の時期以前に製造された緊急支援物資が存在する倉庫から、特定の時期以前に製造された緊急支援物資を店舗１０２に補給させる。
【０１１９】
これにより、物資運用装置１０１は、緊急支援物資を通常在庫の補給ルートに載せることができる。このため、物資運用装置１０１は、緊急支援物資を破棄することをなくし、緊急支援物資を有効に活用させることができる。また、物資運用装置１０１は、特定の時期以前に製造された緊急支援物資を店舗１０２に補給させることができるため、倉庫に存在する在庫を、特定の時期以前に製造されたものから、特定の時期以降に製造されたものにすることができる。
【０１２０】
また、物資運用装置１０１は、特定の時期以前に製造された緊急支援物資が存在する倉庫が複数存在する場合、複数存在する倉庫の中で、小売部門倉庫から特定の時期以前に製造された緊急支援物資を店舗に補給させる。物資運用装置１０１は、複数存在する倉庫の中で、メーカ倉庫または物流部門倉庫から、特定の時期以前に製造された緊急支援物資を店舗に最も近い倉庫に補給させることができる。
【０１２１】
これにより、物資運用装置１０１は、補給コストが低い補給ルートから物資を店舗に補給させることができ、補給コストを低減することができる。また、物資運用装置１０１は、補給時間が短い補給ルートから物資を店舗に補給させることができる。また、メーカ倉庫または物流部門倉庫から、特定の時期以前に製造された緊急支援物資を小売部門倉庫に補給させることで、物資運用装置１０１は、次に補給するときも補給コストが低く、補給時間が短い補給ルートから物資を店舗に補給させることができる。
【０１２２】
また、物資運用装置１０１は、特定の時期以前に製造された緊急支援物資が存在しない場合、特定の時期をより遅い時期に更新することができる。物資運用装置１０１は、その後、物資を緊急支援物資として保管する複数の倉庫のいずれかの倉庫の中に、特定の時期以前に製造された緊急支援物資が存在するか否かを判定することができる。
【０１２３】
これにより、物資運用装置１０１は、特定の時期以前に製造された緊急支援物資が存在しない場合、製造日が次に古い物資を店舗に補給することができる。
【０１２４】
また、物資運用装置１０１は、特定の時期以前に製造された緊急支援物資が存在する倉庫が、物資を通常の在庫としても保管している場合、緊急支援物資の在庫数と通常在庫の在庫数との比率に基づいて、店舗に補給する緊急支援物資の個数を算出できる。また、物資運用装置１０１は、特定の時期以前に製造された緊急支援物資を、算出した個数個、店舗に補給させ、通常在庫を、要求数から算出した個数を引いた数、店舗に補給させることができる。
【０１２５】
これにより、物資運用装置１０１は、倉庫が、物資を緊急支援物資の在庫および通常在庫として保管している場合、両方の在庫から店舗に補給させることができ、片方の在庫がなくなることを防ぐことができる。
【０１２６】
なお、本実施の形態で説明した物資運用方法は、予め用意されたプログラムをパーソナル・コンピュータやワークステーション等のコンピュータで実行することにより実現することができる。本物資運用プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本物資運用プログラムは、インターネット等のネットワークを介して配布してもよい。
【０１２７】
上述した実施の形態に関し、さらに以下の付記を開示する。
【０１２８】
（付記１）コンピュータが、
店舗への物資の補給要求を受け付け、
前記補給要求を受け付けたことに応じて、前記物資を緊急支援物資として保管する複数の倉庫のいずれかの倉庫の中に、特定の時期以前に製造された緊急支援物資が存在するか否かを判定し、
前記特定の時期以前に製造された緊急支援物資が存在する場合、前記特定の時期以前に製造された緊急支援物資を、前記倉庫から前記店舗に補給させる、
処理を実行することを特徴とする物資運用方法。
【０１２９】
（付記２）前記補給させる処理は、
前記特定の時期以前に製造された緊急支援物資が存在する倉庫が複数存在する場合、複数存在する倉庫の中で、前記店舗に最も近い倉庫から前記特定の時期以前に製造された緊急支援物資を前記店舗に補給させ、
前記複数存在する倉庫の中で、前記物資を製造しているメーカの倉庫または前記緊急支援物資の保管専用の倉庫から、前記特定の時期以前に製造された緊急支援物資を前記店舗に最も近い倉庫に補給させる、
ことを特徴とする付記１に記載の物資運用方法。
【０１３０】
（付記３）前記コンピュータが、
前記特定の時期以前に製造された緊急支援物資が存在しない場合、前記特定の時期をより遅い時期に更新した後、前記判定する処理を再度実行することを特徴とする付記１または２に記載の物資運用方法。
【０１３１】
（付記４）前記コンピュータが、
前記特定の時期以前に製造された緊急支援物資が存在する倉庫が、前記物資を通常在庫としても保管している場合、前記緊急支援物資の在庫数と前記通常在庫の在庫数との比率および前記補給要求に含まれる要求数に基づいて、前記店舗に補給する前記緊急支援物資の個数および前記店舗に補給する前記通常在庫の個数を算出する処理を実行し、
前記補給させる処理は、
前記特定の時期以前に製造された緊急支援物資を、前記算出する処理が算出した前記緊急支援物資の個数、前記店舗に補給させ、前記通常在庫を、前記算出する処理が算出した前記通常在庫の個数、前記店舗に補給させることを特徴とする付記１〜３のいずれか一つに記載の物資運用方法。
【０１３２】
（付記５）店舗への物資の補給要求を受け付け、
前記補給要求を受け付けたことに応じて、前記物資を緊急支援物資として保管する複数の倉庫のいずれかの倉庫の中に、特定の時期以前に製造された緊急支援物資が存在するか否かを判定し、
前記特定の時期以前に製造された緊急支援物資が存在する場合、前記特定の時期以前に製造された緊急支援物資を前記倉庫から、前記店舗に補給させる、
制御部を有することを特徴とする物資運用装置。
【０１３３】
（付記６）物資の補給要求を行う店舗の端末と、
前記店舗の端末から前記店舗への物資の補給要求を受け付け、前記補給要求を受け付けたことに応じて、前記物資を緊急支援物資として保管する複数の倉庫のいずれかの倉庫の中に、特定の時期以前に製造された緊急支援物資が存在するか否かを判定し、前記特定の時期以前に製造された緊急支援物資が存在する場合、前記特定の時期以前に製造された緊急支援物資を前記倉庫から、前記店舗に補給させる物資運用装置と、
を有することを特徴とする物資運用システム。
【０１３４】
（付記７）コンピュータに、
店舗への物資の補給要求を受け付け、
前記補給要求を受け付けたことに応じて、前記物資を緊急支援物資として保管する複数の倉庫のいずれかの倉庫の中に、特定の時期以前に製造された緊急支援物資が存在するか否かを判定し、
前記特定の時期以前に製造された緊急支援物資が存在する場合、前記特定の時期以前に製造された緊急支援物資を前記倉庫から、前記店舗に補給させる、
処理を実行させることを特徴とする物資運用プログラム。
【０１３５】
（付記８）店舗への物資の補給要求を受け付け、
前記補給要求を受け付けたことに応じて、前記物資を緊急支援物資として保管する複数の倉庫のいずれかの倉庫の中に、特定の時期以前に製造された緊急支援物資が存在するか否かを判定し、
前記特定の時期以前に製造された緊急支援物資が存在する場合、前記特定の時期以前に製造された緊急支援物資を前記倉庫から、前記店舗に補給させる、
処理をコンピュータに実行させる物資運用プログラムを記録したことを特徴とする前記コンピュータに読み取り可能な記録媒体。
【符号の説明】
【０１３６】
１０１  物資運用装置
２０１  店舗端末
２０２  メーカ端末
１３０１  受信部
１３０２  判定部
１３０３  補給部
１３０４  更新部
【図１】
0006561742.tif 000002
【図２】
0006561742.tif 000003
【図３】
0006561742.tif 000004
【図４】
0006561742.tif 000005
【図５】
0006561742.tif 000006
【図６】
0006561742.tif 000007
【図７】
0006561742.tif 000008
【図８】
0006561742.tif 000009
【図９】
0006561742.tif 000010
【図１０】
0006561742.tif 000011
【図１１】
0006561742.tif 000012
【図１２】
0006561742.tif 000013
【図１３】
0006561742.tif 000014
【図１４】
0006561742.tif 000015
【図１５】
0006561742.tif 000016